(57)【要約】【課題】あらゆる電線カバーに適用可能で、外部からの水入りを防止することができる水抜き孔を備えた電線カバーを提供することを目的とする。【解決手段】電線カバー１０は、コネクタ４０から引出された電線の周囲を取り囲む壁面ＷＬを備えており、壁面ＷＬにクランク状に屈曲して貫通する水抜き孔２０Ａが形成されている。水抜き孔２０Ａの屈曲部２３を形成する内側面２５ａを、壁面ＷＬ内部への連通孔２２との接続部２５ｂから、壁面ＷＬ外部への連通孔２１との接続部２５ｃへの方向に移動するにつれて外部側に傾斜する斜面とした。【選択図】  図５
2005019069.tif 000002
【特許請求の範囲】
【請求項１】
コネクタから引出された電線の周囲を取り囲む壁面を備えた電線カバーにおいて、
前記壁面にクランク状に屈曲して貫通する水抜き孔が形成されたことを特徴とする電線カバー。
【請求項２】
前記水抜き孔の屈曲部を形成する内周面を、前記壁面内部への連通孔との接続部から、前記壁面外部への連通孔との接続部への方向に移動するにつれて外部側に傾斜する斜面としたことを特徴とする請求項１記載の電線カバー。
【請求項３】
前記水抜き孔の前記壁面外部への開口部の周囲であって、前記水抜き孔内を通り前記壁面外部への開口部と前記壁面内部への開口部とを結ぶ直線を遮る位置にリブを立設したことを特徴とする請求項１または請求項２記載の電線カバー。
【発明の詳細な説明】
【０００１】
【発明の属する技術分野】
本発明は、端子金具に接続された電線を収容する電線カバーに関する。
【０００２】
【従来の技術】
ヒンジによって連結された一対の半割り状態のハウジングを係合させて形成する電線カバーの下端部に、内部に浸入した水を外部に排出する排水孔を設け、排水孔をヒンジで被うことによって、外部から排水孔が直接に被水することを防ぐ電線カバーに関する従来技術があった（例えば、特許文献１参照）。
【０００３】
【特許文献１】
特開２０００−１５００５９公報（第２図）
【０００４】
【発明が解決しようとする課題】
上述した従来技術によると、ヒンジを備えていない電線カバーにおいては、ヒンジ以外の構成を用いて排水孔を被うことを考えなければならない。また、排水孔を被うためにヒンジを使用する場合でも、ヒンジを常に電線カバーの下方部に形成しなければならず、電線カバーの設計上の自由度を奪うことにつながる。
【０００５】
本発明は上述のような事情に基づいて完成されたものであって、あらゆる電線カバーに適用可能で、外部からの水入りを防止することができる水抜き孔を備えた電線カバーを提供することを目的とする。
【０００６】
【課題を解決するための手段】
上述の目的を達成するための手段として、請求項１の発明は、コネクタから引出された電線の周囲を取り囲む壁面を備えた電線カバーにおいて、前記壁面にクランク状に屈曲して貫通する水抜き孔が形成されたことを特徴とする電線カバーとした。
【０００７】
請求項２の発明は、前記水抜き孔の屈曲部を形成する内周面を、前記壁面内部への連通孔との接続部から、前記壁面外部への連通孔との接続部への方向に移動するにつれて外部側に傾斜する斜面としたことを特徴とする請求項１記載の電線カバーとした。
【０００８】
請求項３の発明は、前記水抜き孔の前記壁面外部への開口部の周囲であって、前記水抜き孔内を通り前記壁面外部への開口部と前記壁面内部への開口部とを結ぶ直線を遮る位置にリブを立設したことを特徴とする請求項１または請求項２記載の電線カバーとした。
【０００９】
【発明の作用及び効果】
＜請求項１の発明＞
壁面にクランク状に屈曲して貫通する水抜き孔が形成されたことにより、電線カバーの内部に侵入した水を排出できるとともに、水抜き孔の開口部が被水しても、内部へ水が浸入しにくい電線カバーにすることができる。
【００１０】
＜請求項２の発明＞
水抜き孔の屈曲部を形成する内周面を、水抜き孔の壁面内部への連通孔との接続部から、壁面外部への連通孔との接続部への方向に移動するにつれて外部側に傾斜する斜面としたことにより、水抜き孔の最小幅を広くすることができ、水の表面張力によって外部への水の排出が妨げられることを防ぐことができる。
【００１１】
＜請求項３の発明＞
水抜き孔の壁面外部への開口部の周囲であって、水抜き孔内を通り壁面外部への開口部と壁面内部への開口部とを結ぶ直線を遮る位置にリブを立設したことにより、クランク状の水抜き孔を介して内部に直接水が浸入する角度範囲を狭めることができ、内部への水の浸入を低減できる。
【００１２】
【発明の実施の形態】
＜第１実施形態＞
本発明の第１実施形態を図１乃至図４に基づいて説明する。図１に示すように、電線カバー１０は互いに半割りにされた一対のカバーハウジングＣＲ、ＣＬによって構成されている。カバーハウジングＣＲ、ＣＬはともに合成樹脂材料によって一体に形成され、単体としては互いに全く同一の形状であって、これらを対向させて係合させることによって、電線カバー１０を構成する。その結果、図２に示すように、壁面ＷＬが軸方向に延びて、その前後端部ＦＲ、ＲＲがともに開放された形状をしている。電線カバー１０は後述するコネクタ４０と係合して、その壁面ＷＬがコネクタ４０から引出された電線（図示せず）の周囲を取り囲むことができる。
【００１３】
電線カバー１０は、後方部に形成されたチューブ保持部１１と、前方部に形成されたコネクタ連結部１２およびこれらを接続する中間接続部１３とによって構成されている。チューブ保持部１１の内周面には、図３に示すコルゲートチューブ３０が保持されるように保持溝１４および突条１５が形成されている。
【００１４】
また、チューブ保持部１１の外周面には、カバーハウジングＣＲ、ＣＬを互いに係合させるため、係合孔１６ａを備えた係合片１６および係合孔１６ａに係合する係合突部１７が、互いに対向するように形成されている。係合片１６は、カバーハウジングＣＲ、ＣＬの対向する外周面に互い違いに２個形成されており、係合突部１７もそれぞれ係合片１６と並ぶように、カバーハウジングＣＲ、ＣＬの対向する外周面に互い違いに２個形成されている。また、中間接続部１３の対向する側面には、一対の水抜き孔２０が形成されている（図２において、一側のみ示す）。水抜き孔２０については後述する。
【００１５】
コネクタ連結部１２の前方部には、上下の対向する外周面に一対の矩形状の切欠１８が形成されている（図２示）。また、コネクタ連結部１２の外周面には、図３に示すコネクタ４０の連結突部４１に係合する連結孔１９が、その四隅に形成されている。連結孔１９に連結突部４１を係合させることによって、電線カバー１０にコネクタ４０を連結する。コネクタ４０の前方部には図示しない端子が収容される複数のキャビティ４２が形成され、外周部の対向する側面に設けられた枢軸４３（図３において、一側のみ示す）にはレバー４４が回動可能に係合している。
【００１６】
また、コネクタ４０の上面には、上述したコネクタ連結部１２に形成された切欠１８に嵌合するようにロック片４５が突出しており、ロック片４５はコネクタ４０を図示しない相手側コネクタと嵌合させる際に、回動されたレバー４４と係合してコネクタ４０の相手側コネクタとの嵌合状態を保持する。
【００１７】
次に、図３に示した電線カバー１０とコルゲートチューブ３０およびコネクタ４０との組立品の組立方法について説明する。コルゲートチューブ３０内に端子に接続された電線を挿通した後、コネクタ４０のキャビティ４２内に端子を収容する。その後、コルゲートチューブ３０を挟持するとともに、コネクタ連結部１２の連結孔１９にコネクタ４０の連結突部４１を係合させながら、カバーハウジングＣＲ、ＣＬに形成された係合片１６と係合突部１７とを嵌合させることによって、カバーハウジングＣＲ、ＣＬを互いに係合させる。これによって、電線カバー１０とコルゲートチューブ３０およびコネクタ４０とが連結される。
【００１８】
次に、図４に基づいて、水抜き孔２０について詳述する。以下、カバーハウジングＣＬに形成された水抜き孔２０のみについて説明し、カバーハウジングＣＲに形成された水抜き孔２０についてはカバーハウジングＣＬに形成されたものと同様であるため説明は省略する。図４に示すように、水抜き孔２０は壁面ＷＬにクランク状に屈曲して貫通しており、壁面ＷＬ外部（電線カバー１０の外部）への連通孔２１と、壁面ＷＬ内部（電線カバー１０の内部）への連通孔２２と、連通孔２１、２２に接続され、カバーハウジングＣＬの長さ方向に延びた屈曲部２３とによって構成されている。
【００１９】
連通孔２１は断面が矩形状に形成されており、壁面ＷＬ外部への開口部２１ａの反対側は、壁面ＷＬの内部に突出した突片２４によって閉塞されている。一方、連通孔２２も断面が矩形状に形成されており、壁面ＷＬ内部への開口部２２ａの反対側は、壁面ＷＬの外部に突出した突片２５によって閉塞されている。また、屈曲部２３も断面が矩形状に形成されている。
【００２０】
上述した第１実施形態によれば、壁面ＷＬにクランク状に屈曲して貫通する水抜き孔２０が形成されたことにより、電線カバー１０の内部に侵入した水を水抜き孔２０を介して排出できるとともに、高圧洗浄等によって水抜き孔２０の開口部２１ａが被水しても、クランク状に屈曲しているがために、内部へ水が浸入しにくい電線カバー１０にすることができる。
【００２１】
＜第２実施形態＞
本発明の第２実施形態を図５に基づいて説明する。本実施形態による水抜き孔２０Ａにおいては、壁面ＷＬの外部に突出した突片２５の内側面２５ａ（本発明による屈曲部２３を形成する内周面に該当する）を、壁面ＷＬ内部への連通孔２２との接続部２５ｂから壁面ＷＬ外部への連通孔２１との接続部２５ｃへの方向へ移動するにつれて、図５に示すように壁面ＷＬの外部側に傾斜する斜面としている。
【００２２】
上述した実施形態によれば、突片２５の内側面２５ａを、外部側に傾斜する斜面としたことにより、壁面ＷＬ全体を大きくせずに、図５に示した水抜き孔２０Ａの最小幅Ｄを広くすることができ（図４に示した第１実施形態による最小幅ｄよりも大きくなっている）、水抜き孔２０Ａに表面張力による水膜が形成されることを防ぎ、水膜により外部への水の排出が妨げられることがない。また、内側面２５ａを斜面としたことにより、壁面ＷＬを広範囲に渡って薄肉にしなくても最小幅Ｄを広くすることができ、壁面ＷＬの強度を著しく低下させることがない。
【００２３】
尚、本実施形態においては、突片２５の内側面２５ａを外部側に傾斜する斜面としているが、壁面ＷＬの内部に突出した突片２４の内側面（本発明による屈曲部２３を形成する内周面に該当する）のみを、壁面ＷＬ内部への連通孔２２との接続部から壁面ＷＬ外部への連通孔２１との接続部への方向へ移動するにつれて、壁面ＷＬの外部側に傾斜する斜面としてもよいし、あるいは突片２５の内側面２５ａおよび壁面ＷＬの内部に突出した突片２４の内側面の双方を壁面ＷＬの外部側に傾斜する斜面としてもよい。
【００２４】
＜第３実施形態＞
本発明の第３実施形態を図６および図７に基づいて説明する。本実施形態による水抜き孔２０Ｂにおいては、壁面ＷＬ外部への開口部２１ａの周囲に外部方向に延びたリブ２６を形成している。図６に示すように、リブ２６は水抜き孔２０Ｂ内を通り、壁面ＷＬ外部への開口部２１ａと壁面ＷＬ内部への開口部２２ａとを結んだ直線ＳＬを遮る位置に立設されている。すなわち、リブ２６は、壁面ＷＬ外部への開口部２１ａの周囲であって、壁面ＷＬ内部への連通孔２２とカバーハウジングＣＬの長さ方向において反対に位置する側に設けられている。尚、本実施形態においても第２実施形態と同様に、突片２５の内側面２５ａを、壁面ＷＬの外部側に傾斜する斜面としている。
【００２５】
上述した実施形態によれば、壁面ＷＬ外部への開口部２１ａの周囲であって、水抜き孔２０Ｂ内を通り、壁面ＷＬ外部への開口部２１ａと壁面ＷＬ内部への開口部２２ａとを結んだ直線ＳＬを遮る位置にリブ２６を立設したことにより、図７に示したように、水抜き孔２０Ｂを介して内部に直接水が浸入する角度範囲を狭めることができ（図７において、Ｒで示された角度範囲はリブ２６を立設することによって内部に直接水が浸入することがない）、内部への水の浸入を低減できる。
【００２６】
＜関連発明＞
次に、図８乃至図１０に基づいて関連発明について説明する。本関連発明の目的は、上述したカバーハウジングＣＲ、ＣＬに形成された係合片１６と係合突部１７（係合片１６と係合突部１７は上述した従来技術である特許文献１の第１１図に記載されたものと同様のものである）を係合させる時の負荷抵抗を低減することである。
【００２７】
係合片１６と係合突部１７が係合する場合、係合片１６が係合突部１７の斜面を乗越えた後、係合片１６の係合孔１６ａに係合突部１７が嵌まり込むのであるが、係合突部１７の斜面が平坦面であることにより、係合片１６が係合突部１７の斜面を乗越える時に、係合片１６と係合突部１７の斜面とが面接触するために、双方の間の摺動による摩擦抵抗が係合片１６と係合突部１７との間の強大な負荷抵抗となる。係合時の負荷抵抗を低減するために、係合突部１７の高さを低くする方法があるが、これを採用すると係合完成時の保持力の低下につながる。
【００２８】
本関連発明における特徴部は、図１および図２に示したカバーハウジングＣＲ、ＣＬに形成された、係合片１６の係合孔１６ａと係合する係合突部１７を、図８に示した係合突部５０に置き換えた構成にある。係合突部５０は、図８および図１０に示すように、その上面５１が曲面にて形成されており、係合方向の断面が半円形をしている。それとともに、上面５１は係合が進むにつれて高くなるように登り勾配を備えている。カバーハウジングＣＲ、ＣＬを互いに係合させる場合、係合片１６と係合突部５０を対向させ、係合片１６に係合突部５０を乗越えさせた後、係合片１６の係合孔１６ａに係合突部５０をはめ込むことによって、係合片１６と係合突部５０を係合させる。
【００２９】
上述したように、カバーハウジングＣＲ、ＣＬを互いに対向させて、係合孔１６ａに係合突部５０を係合させる際、図９および図１０に示すように、まず係合片１６を係合突部５０の傾斜した上面５１に乗り上げさせる。上面５１が曲面にて形成されているため、上面５１に乗り上げた係合片１６は、上面５１の頂上部５１ａの線状の領域のみと接触する（線接触する）。従って、係合片１６と係合突部５０との接触面積が著しく減少することになり、係合片１６が係合突部５０の上面５１を乗越える際の摩擦抵抗が従来に比べ減少する。よって、係合突部５０の高さを低くしなくても、係合片１６と係合突部５０とを係合させる際の係合力を低減することができる。
【００３０】
また、係合突部５０の高さを低くすることがないため、係合片１６と係合突部５０との係合完成時の保持力も従来どおり維持できる。更に、半割りにされたカバーハウジングＣＲ、ＣＬが係合する時に、互いに３次元的に傾いていても、係合突部５０の上面５１が曲面によって形成されているため、常に係合片１６と係合突部５０とが線接触することにより、係合時の負荷抵抗を安定させることができる。
【００３１】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）図４に示した第１実施形態による水抜き孔２０の壁面ＷＬ外部への開口部２１ａの周囲にリブ２６を形成してもよい。
（２）電線カバーに設ける水抜き孔は２個でなければならないわけではなく、１個あるいは３個以上設けても構わない。
【図面の簡単な説明】
【図１】本発明による電線カバーを構成するカバーハウジングの分解斜視図である。
【図２】本発明による電線カバーの斜視図である。
【図３】本発明による電線カバーにコルゲートチューブおよびコネクタを取付けたところを示す斜視図である。
【図４】第１実施形態による水抜き孔を示す断面図である。
【図５】第２実施形態による水抜き孔を示す断面図である。
【図６】第３実施形態による水抜き孔を示す断面図である。
【図７】第３実施形態によるリブの作用効果を説明する図である。
【図８】関連発明による係合突部を示す斜視図である。
【図９】図８の係合突部が係合片と係合しつつある時の状態を示す断面図である。
【図１０】図９の拡大右側面図である。
【符号の説明】
１０…電線カバー
２０、２０Ａ、２０Ｂ…水抜き孔
２１…壁面外部への連通孔
２１ａ…壁面外部への開口部
２２…壁面内部への連通孔
２２ａ…壁面内部への開口部
２３…屈曲部
２５ａ…内側面
２５ｂ…壁面内部への連通孔との接続部
２５ｃ…壁面外部への連通孔との接続部
２６…リブ
４０…コネクタ
ＳＬ…水抜き孔を通り、壁面外部への開口部と壁面内部への開口部とを結んだ直線
ＷＬ…壁面
【図１】
2005019069.tif 000003
【図２】
2005019069.tif 000004
【図３】
2005019069.tif 000005
【図４】
2005019069.tif 000006
【図５】
2005019069.tif 000007
【図６】
2005019069.tif 000008
【図７】
2005019069.tif 000009
【図８】
2005019069.tif 000010
【図９】
2005019069.tif 000011
【図１０】
2005019069.tif 000012